(57)【要約】【課題】線材が挿通されるグロメットの一方側と他方側とがスリットにおける隙間で連通するおそれを回避し、防水機能及び防塵機能を十分に発揮することができるグロメットを提供する。【解決手段】グロメット１は、線材としてのケーブル４０が挿通されるものであり、第１グロメット部１０と第１グロメット部１０に重ね合わされる第２グロメット部２０とからなる。第１グロメット部１０は、ケーブル４０が挿通される第１貫通孔１３と、第１貫通孔１３から外周面に達するように形成された第１スリット１４とを有する。第２グロメット部２０は、ケーブル４０が挿通される第２貫通孔２２と、第２貫通孔２２から外周面に達するように形成された第２スリット２４とを有する。第１スリット１４及び第２スリット２４は、第１グロメット部１０と第２グロメット部２０を接続した状態で、ケーブル４０の挿通方向から見て一点Ａのみで重なり合う。【選択図】図２
2019050110.tif 000002
【特許請求の範囲】
【請求項１】
線材が挿通されるグロメットであって、
前記グロメットは、第１グロメット部と、該第１グロメット部に重ね合わされる第２グロメット部からなり、
前記第１グロメット部は、前記線材が挿通される第１貫通孔と、該第１貫通孔から外周面に達するように形成された第１スリットとを有し、
前記第２グロメット部は、前記線材が挿通される第２貫通孔と、該第２貫通孔から外周面に達するように形成された第２スリットとを有し、
前記第１グロメット部と前記第２グロメット部を接続した状態で、前記第１スリットと前記第２スリットは、前記線材の挿通方向から見てすくなくとも一点のみで重なり合うことを特徴とするグロメット。
【請求項２】
前記第１スリットは、その中心線が前記第１グロメット部の前記第１貫通孔から前記外周面に至るまで所定の曲率で曲がる円弧状に形成され、前記第２スリットは、その中心線が前記第２グロメット部の前記第２貫通孔から前記外周面に至るまで前記第１スリットの中心線の曲率とは異なる曲率で曲がる円弧状に形成されていることを特徴とする請求項１に記載のグロメット。
【請求項３】
前記第１スリットは直線状に形成され、前記第２スリットは直線状に形成され、かつ前記第１グロメット部と前記第２グロメット部を接続した状態で、前記第１スリットと前記第２スリットが、前記第１スリットまたは前記第２スリットの全長に渡って重なりあわない様にそれぞれ形成されていることを特徴とする請求項１に記載のグロメット。
【発明の詳細な説明】
【技術分野】
【０００１】
本発明は、線材が挿通されるグロメットに関する。
【背景技術】
【０００２】
従来のこの種のグロメットとして、例えば、特許文献１に示すものが知られている。
特許文献１に示すグロメットは、複数の線材と隔壁との間に生じる隙間を塞いで、防水、防塵、防音などの役割を果たすものである。そして、このグロメットは、本体部と、本体部に形成されて複数の線材がそれぞれ貫通する複数の貫通孔と、本体部の外周面に形成されて隔壁に係合する係合部とを備えている。そして、本体部は、外周面から複数の貫通孔のそれぞれにまで達する複数のスリットを形成すると共に、隣り合うスリット間に位置する係合部と隔壁とを係合させやすくする易係合手段を有している。
【０００３】
各線材を各貫通孔内に挿通する際は、各スリットを広げ、広げられたスリットを通し、各線材を各貫通孔内に導入する。スリットがあることにより、線材の端部にグロメットの貫通孔を差し込み、その後グロメットを所定の箇所まで移動させるといった作業を行う必要がなくなり、作業性が向上する。
【先行技術文献】
【特許文献】
【０００４】
【特許文献１】特開２００９−９３９０３号公報
【発明の概要】
【発明が解決しようとする課題】
【０００５】
しかしながら、この従来の特許文献１に示したグロメットにあっては、以下の問題点があった。
グロメットの本体部に形成された各スリットの隙間は完全にはなくならない。このため、上記グロメットには防水機能や防塵機能が十分あるとまでは言えなかった。
本発明はこの従来の問題点を解決するためになされたものであり、作業性の向上が見込めるスリットは確保したままで、防水機能及び防塵機能を十分に発揮することができるグロメットを提供することにある。
【課題を解決するための手段】
【０００６】
上記目的を達成するために、本発明の一態様に係るグロメットは、線材が挿通されるグロメットであって、前記グロメットは、第１グロメット部と、該第１グロメット部に重ね合わされる第２グロメット部からなり、前記第１グロメット部は、前記線材が挿通される第１貫通孔と、該第１貫通孔から外周面に達するように形成された第１スリットとを有し、前記第２グロメット部は、前記線材が挿通される第２貫通孔と、該第２貫通孔から外周面に達するように形成された第２スリットとを有し、前記第１グロメット部と前記第２グロメット部を接続した状態で、前記第１スリットと前記第２スリットは、前記線材の挿通方向から見て少なくとも一点のみで重なり合うことを特徴とする。
【発明の効果】
【０００７】
本発明に係るグロメットによれば、第１グロメット部と第２グロメット部を接続した状態で、第１スリットと第２スリットは、線材の挿通方向から見て少なくとも一点のみで重なり合う。このため、第１グロメット部の第１スリットの隙間を通過した水滴等はそのほとんどが第２グロメット部に阻まれるため、または第２グロメット部の第２スリットの隙間を通過した水滴等はそのほとんどが第１グロメット部に阻まれるため、当該水滴等はそのほとんどがグロメットを通過することができない。これにより、グロメットの防水機能及び防塵機能を十分に発揮することができるグロメットを提供できる。更に、第１グロメット部、第２グロメット部はそれぞれにスリットを有しているため、上述の作業性の向上を損なうこともない。
【図面の簡単な説明】
【０００８】
【図１】本発明の第１実施形態に係るグロメットによって隔壁の開口部に挿通されるケーブルを隔壁に支持している様子を示す断面図である。
【図２】図１に示すグロメットを示し、（Ａ）は平面図、（Ｂ）は（Ａ）を左側から見た側面図である。
【図３】図１及び図２に示すグロメットを構成する第１グロメット部を示し、（Ａ）は平面図、（Ｂ）は正面図である。
【図４】図１及び図２に示すグロメットを構成する第２グロメット部を示し、（Ａ）は平面図、（Ｂ）は正面図である。
【図５】図１及び図２に示すグロメットによって隔壁の開口部に挿通されるケーブルを隔壁に支持する方法を説明するための断面図である。
【図６】本発明の第２実施形態に係るグロメットを示し、（Ａ）は平面図、（Ｂ）は（Ａ）を左側から見た側面図である。
【図７】図６に示すグロメットを構成する第１グロメット部を示し、（Ａ）は平面図、（Ｂ）は正面図である
【図８】図６に示すグロメットを構成する第２グロメット部を示し、（Ａ）は平面図、（Ｂ）は正面図である。
【発明を実施するための形態】
【０００９】
以下、本発明の実施形態について図面を参照して説明する。
（第１実施形態）
図１に示す本発明の第１実施形態に係るグロメット１は、線材としてのケーブル４０を挿通しつつ、隔壁３０の開口部３１を閉塞する。ここで、ケーブル４０は、複数の電線４１の束を被覆してなり、ケーブル４０の一端側（隔壁３０の一方側である外部側）には第１コネクタ４２が接続され、ケーブル４０の他端側（隔壁３０の他方側である内部側）には第２コネクタ４３が接続されている。第１コネクタ４２は、例えば、車載カメラに設けられる回路基板上に実装されたコネクタに接続され、第２コネクタ４３は、例えば、カーナビゲーション側の回路基板に接続される。
【００１０】
このグロメット１は、隔壁３０の例えば円形の開口部３１に嵌め込まれることでケーブル４０と隔壁３０との間に生じる隙間を塞いで、隔壁３０の一方側である外部側から隔壁の他方側である内部側への水滴等の侵入を防ぐ防水機能及び防塵機能を果たす。
【００１１】
グロメット１は、図１及び図２（Ａ），（Ｂ）に示すように、第１グロメット部１０と第１グロメット部１０に重ね合わせる様に接続される第２グロメット部２０と備えている。 ここで、第１グロメット部１０は、図１乃至図３（Ａ），（Ｂ）に示すように、第１本体部１１と、第１本体部１１に突出形成された閉塞部１２とを備え、ゴム材料（例えばエチレンプロピレンゴム）により一体に形成される。第１本体部１１は、隔壁３０の開口部３１よりも直径の大きな円板状に形成されている。閉塞部１２は、円筒状に形成され、第１本体部１１と中心軸が同じで、第１本体部１１の円形の表面から突出するように形成される。閉塞部１２は、外径が第１本体部１１よりも小さくかつ隔壁３０の開口部３１と等しいか又は開口部３１に嵌め込み可能な範囲で円筒状に形成され、開口部３１に嵌め込まれ開口部３１を閉塞する。
【００１２】
そして、第１本体部１１の中央には、第１貫通孔１３が形成されている。第１貫通孔１３は、線材としてのケーブル４０が挿通可能な直径を有する丸孔である。また、グロメット１は、第１貫通孔１３から閉塞部１２の内周面及び外周面を通過し、第１本体部１１の外周面１１ａまで達する第１スリット１４を有している。第１スリット１４は、図３（Ａ）に示すように、その中心線ＣＬ１が第１貫通孔１３から外周面１１ａに至るまで所定の曲率（１／Ｒ１）で曲がる円弧状に形成されている。第１スリット１４の中心線ＣＬ１は、第１貫通孔１３の中心Ｃ１を通る。第１スリット１４の中心線ＣＬ１の曲率半径Ｒ１は、例えば第１本体部１１の曲率半径より大きく形成されればよい。この第１スリット１４は、ケーブル４０を第１貫通孔１３内に挿通する際に、第１スリット１４を広げ、この広げられた第１スリット１４を介して第１本体部１１の外周面１１ａ側から第１貫通孔１３内にケーブル４０を挿入し、そして広げられた第１スリット１４を閉じることでケーブル４０を第１貫通孔１３内に挿通させるものである。
【００１３】
また、第２グロメット部２０は、図１、図２及び図４（Ａ），（Ｂ）に示すように、直径が第２グロメット部２０を開口部３１に押し当てたときに開口部３１を通過できない程度に大きく第１グロメット部１０の第１本体部１１よりも小さい円板状に形成された第２本体部２１を備え、ゴム材料（例えばエチレンプロピレンゴム）により形成される。
【００１４】
そして、円板形状をした第２本体部２１の中央には、第２貫通孔２２が形成されている。第２貫通孔２２は、線材としてのケーブル４０が挿通可能な直径を有する丸孔である。また、第２本体部２１には、第２貫通孔２２から第１グロメット部１０の閉塞部１２が嵌り込むための環状溝２３を通過して第２本体部２１の外周面２１ａまで達する第２スリット２４が形成されている。第２スリット２４は、図４（Ａ）に示すように、その中心線ＣＬ２が第２貫通孔２２から外周面２１ａに至るまで第１スリット１４の中心線ＣＬ１の曲率（１／Ｒ１）とは異なる曲率（１／Ｒ２）で曲がる円弧状に形成されている。第２スリット２４の中心線ＣＬ２は、第２貫通孔２２の中心Ｃ２を通る。第２スリット２４の中心線ＣＬ２の曲率半径Ｒ２は、ここでは第１スリット１４の中心線ＣＬ１の曲率半径Ｒ１より大きく設定している。あるいは前述の通り第１スリット１４の中心線ＣＬ１の曲率と第２スリット２４の中心線ＣＬ２の曲率が異なればよいため、曲率半径Ｒ１と曲率半径Ｒ２が同じ値であり、曲率の正負が異なっているだけでもよい。この第２スリット２４は、ケーブル４０を第２貫通孔２２内に挿通する際に、第２スリット２４を広げ、この広げられた第２スリット２４を介して第２本体部２１の外周面２１ａ側から第２貫通孔２２内にケーブル４０を挿入し、そして広げられた第２スリット２４を閉じることでケーブル４０を第２貫通孔２２内に挿通させるものである。
【００１５】
ここで、第１グロメット部１０に形成された第１スリット１４と第２グロメット部２０に形成された第２スリット２４とは、第１グロメット部１０及び第２グロメット部２０を接続した状態で、ケーブル４０の挿通方向から見て一点Ａ（図２（Ａ）参照）のみで重なり合う位置に配置される。
【００１６】
そして、隔壁３０をはさんで第１グロメット部１０と第２グロメット部２０を接続して固定するために、第２グロメット部２０の第２本体部２１には、図１、図２（Ａ），（Ｂ）及び図４（Ａ），（Ｂ）に示すように、第１グロメット部１０の閉塞部１２の先端が嵌り込む環状溝２３が形成されている。環状溝２３は、円環状に形成され、第２本体部２１と中心軸が同じで、第２本体部２１の表面から凹むように形成される。第１グロメット部１０の閉塞部１２の先端が、第２グロメット部２０の環状溝２３に嵌り込み、閉塞部１２と環状溝２３との間の摩擦力により、第１グロメット部１０が第２グロメット部２０から抜け止めされる。第１グロメット部１０の閉塞部１２は、第１本体部１１の表面から突出する円筒状に形成される。
【００１７】
次に、図５及び図１を参照して、前述したグロメット１によって隔壁３０の開口部３１に挿通されるケーブル４０を隔壁３０に支持する方法を説明する。
先ず、図５に示すように、両端に第１コネクタ４２及び第２コネクタ４３を接続したケーブル４０を隔壁の開口部３１に挿通した状態にする。
次に、隔壁３０の一方側である外部側において、第１グロメット部１０の閉塞部１２を開口部３１側（隔壁３０側）とした状態で第１スリット１４を広げ、この広げられた第１スリット１４を介して第１本体部１１の外周面側から第１貫通孔１３内にケーブル４０を挿入することで、ケーブル４０を第１貫通孔１３内に挿通させる。
【００１８】
次いで、隔壁３０の内部側において、第２グロメット部２０を環状溝２３を隔壁３０側とした状態で第２スリット２４を広げて第２貫通孔２２を開き、この広げられた第２スリット２４を介して第２本体部２１の外周面側から第２貫通孔２２内にケーブル４０を挿入することで、ケーブル４０を第２貫通孔２２内に挿通させる。
その後、第１グロメット部１０及び第２グロメット部２０のそれぞれを隔壁３０側に向けて、即ち図５における矢印で示した方向に移動し、第１グロメット部１０の閉塞部１２を隔壁３０の開口部３１に嵌め込み開口部３１を閉塞するとともに、第２グロメット部２０の環状溝２３に閉塞部１２の先端を嵌め込む。
【００１９】
これにより、図１に示すように、第１グロメット部１０及び第２グロメット部２０が接続されてグロメット１によって隔壁３０の開口部３１に挿通されるケーブル４０を隔壁３０に支持することができる。
グロメット１によってケーブル４０を隔壁３０に支持しているときには、閉塞部１２によって開口部３１が閉塞されるとともに、第１グロメット部１０の第１本体部１１によって隔壁３０の開口部３１の一方側である外部側を覆い、第２グロメット部２０の第２本体部２１によって隔壁３０の開口部３１の他方側である内部側を覆う。これにより、隔壁３０の外部側から内部側への防水機能及び防塵機能を発揮することができる。
【００２０】
また、第１グロメット部１０の閉塞部１２を第２グロメット部２０の環状溝２３に嵌め込んだ状態では、第１グロメット部１０に形成された第１スリット１４と第２グロメット部２０に形成された第２スリット２４とは、ケーブル４０の挿通方向から見て互いに重ならない位置にある場合と、互いに重なる位置にある場合とがある。ここで、第２スリット２４は、その中心線ＣＬ２が第２貫通孔２２から外周面２１ａに至るまで第１スリット１４の中心線ＣＬ１の曲率（１／Ｒ１）とは異なる曲率（１／Ｒ２）で曲がる円弧状に形成されているので、第１スリット１４と第２スリット２４とが重なる位置になるときには、両者は、必ず一点のみで重なる。
【００２１】
第１スリット１４と第２スリット２４とが多数点あるいは線状に重なると、第１スリット１４の隙間を通過した水滴等が第２スリット２４を通過し、あるいは、第２スリット２４の隙間を通過した水滴等が第１スリット１４を通過し、当該水滴等はグロメット１を通過して防止機能及び防塵機能が十分に発揮されない。
ここで、前述したように、第１グロメット部１０に形成された第１スリット１４と第２グロメット部２０に形成された第２スリット２４とがケーブル４０の挿通方向から見て互いに重ならない位置にある場合には、水滴等はグロメット１を通過せず、グロメット１の防水機能及び防塵機能を十分に発揮できる。
【００２２】
また、第１スリット１４と第２スリット２４とが重なる位置になるときには、第１実施形態に係るグロメット１では、前述したように、両者は、必ず一点のみで重なり合う位置に配置される。図２（Ａ）では、第１スリット１４と第２スリット２４とが一点Ａのみで重なり合う位置に配置されており、第１グロメット部１０と第２グロメット部２０とが回転しても両者が重なり合う一点の位置が異なるにすぎない。このため、第１グロメット部１０の第１スリット１４の隙間を通過した水滴等はそのほとんどが第２グロメット部２０に阻まれるため、または第２グロメット部２０の第２スリット２４の隙間を通過した水滴等はそのほとんどが第１グロメット部１０に阻まれるため、当該水滴等はそのほとんどがグロメット１を通過することができない。これにより、グロメット１の防水機能及び防塵機能を十分に発揮することができる。
【００２３】
また、第１グロメット部１０及び第２グロメット部２０はそれぞれに第１スリット１４あるいは第２スリット２４を有しているため、線材の端部にグロメットの貫通孔を差し込み、その後グロメットを所定の箇所まで移動させるといった作業を行う必要がなくなり、作業性が向上する。
【００２４】
（第２実施形態）
次に、本発明の第２実施形態に係るグロメットについて、図６（Ａ），（Ｂ）乃至図８（Ａ），（Ｂ）を参照して説明する。図６（Ａ）、（Ｂ）乃至図８（Ａ），（Ｂ）において、図２（Ａ）、（Ｂ）乃至図４（Ａ），（Ｂ）に示す部材と同一の部材については同一の符号を付し、その説明を省略することがある。
図６（Ａ），（Ｂ）に示すグロメット１は、図２（Ａ），（Ｂ）に示すグロメット１と基本構成は同様であるが、第１スリット１５及び第２スリット２５の形状及び配置の仕方が図２（Ａ），（Ｂ）に示すグロメット１の第１スリット１４及び第２スリット２４の形状及び配置の仕方と異なっている。
【００２５】
即ち、第１スリット１５は、第１スリット１４と同様に、図７（Ａ）に示すように、第１貫通孔１３から閉塞部１２の内周面及び外周面を通過し、第１本体部１１の外周面１１ａまで達するが、その中心線ＣＬ３が第１貫通孔１３の中心Ｃ１を通らない直線状に形成されている点で第１スリット１４と異なる。この第１スリット１５は、第１スリット１４と同様に、ケーブル４０を第１貫通孔１３内に挿通する際に、第１スリット１５を広げ、この広げられた第１スリット１５を介して第１本体部１１の外周面１１ａ側から第１貫通孔１３内にケーブル４０を挿入し、そして広げられた第１スリット１５を閉じることでケーブル４０を第１貫通孔１３内に挿通させるものである。
【００２６】
また、第２スリット２５は、第２スリット２４と同様に、図８（Ａ）に示すように、第２貫通孔２２から環状溝２３を通過して第２本体部２１の外周面２１ａまで達するが、その中心線ＣＬ４が第２貫通孔２２の中心Ｃ２を通らない直線状に形成されている点で第２スリット２４と異なる。この第２スリット２５は、第２スリット２４と同様に、ケーブル４０を第２貫通孔２２内に挿通する際に、第２スリット２５を広げ、この広げられた第２スリット２５を介して第２本体部２１の外周面２１ａ側から第２貫通孔２２内にケーブル４０を挿入し、そして広げられた第２スリット２５を閉じることでケーブル４０を第２貫通孔２２内に挿通させるものである。
【００２７】
ここで、第１グロメット部１０に形成された第１スリット１５と第２グロメット部２０に形成された第２スリット２５とは、第１グロメット部１０及び第２グロメット部２０を接続した状態で、ケーブル４０の挿通方向から見て一点Ｂ（図６（Ａ）参照）のみで重なり合う位置に配置される。この様に配置されるためには、第１グロメット部１０の閉塞部１２を第２グロメット部２０の環状溝２３にいかなる回転角で嵌め込んだ場合でも、第２スリット２５が第１スリット１５と全長に渡って重なり合わないように、それぞれのスリットが形成されている必要がある。具体的に例示すると第１貫通孔１３の中心Ｃ１と第１スリット１５の外周端の他端との距離と、第２貫通孔２２の中心Ｃ２と第２スリット２５の外周端の他端との距離が同じであり、かつ中心Ｃ１と第１スリット１５とのなす角と、中心Ｃ２と第２スリット２５とのなす角が同じにならない様にそれぞれのスリットを形成する。
【００２８】
第１グロメット部１０に形成された第１スリット１５と第２グロメット部２０に形成された第２スリット２５とがケーブル４０の挿通方向から見て互いに重ならない位置にある場合には、水滴等はグロメット１を通過せず、グロメット１の防水機能及び防塵機能を十分に発揮できる。
【００２９】
また、第１スリット１５と第２スリット２５とが重なる位置になるときには、第２実施形態に係るグロメット１では、前述したように、両者は、必ず一点のみで重なり合う位置に配置される。図６（Ａ）では、第１スリット１５と第２スリット２５とが一点Ｂのみで重なり合う位置に配置されており、第１グロメット部１０と第２グロメット部２０とが回転しても両者が重なり合う一点の位置が異なるにすぎない。このため、第１グロメット部１０の第１スリット１５の隙間を通過した水滴等はそのほとんどが第２グロメット部２０に阻まれるため、または第２グロメット部２０の第２スリット２５の隙間を通過した水滴等はそのほとんどが第１グロメット部１０に阻まれるため、当該水滴等はそのほとんどがグロメット１を通過することができない。これにより、グロメット１の防水機能及び防塵機能を十分に発揮することができる。
【００３０】
また、第１グロメット部１０及び第２グロメット部２０はそれぞれに第１スリット１５あるいは第２スリット２５を有しているため、線材の端部にグロメットの貫通孔を差し込み、その後グロメットを所定の箇所まで移動させるといった作業を行う必要がなくなり、作業性が向上する。
以上、本発明の実施形態について説明してきたが、本発明はこれに限定されずに種々の変更、改良を行うことができる。
【００３１】
例えば、線材としてのケーブル４０は、一端側の第１コネクタ４２によって車載カメラ側に接続されるとともに、他端側の第２コネクタ４３によってカーナビゲーション側に接続されているが、線材によって接続される対象は車載カメラやカーナビゲーションに限られず、他の任意の電気部品を適用し得る。
【００３２】
本発明においては、第１グロメット部１０と第２グロメット部２０を接続した状態で、第１スリット１４（第２実施形態では第１スリット１５）と第２スリット２４（第２実施形態では第２スリット２５）が、線材としてのケーブル４０の挿通方向から見て一点のみで重なり合えばよく、第１実施形態のように、第２スリット２４が、その中心線ＣＬ２が第２グロメット部２０の第２貫通孔２２から外周面２１ａに至るまで第１スリット１４の中心線ＣＬ１の曲率（１／Ｒ１）とは異なる曲率（１／Ｒ２）で曲がる円弧状に形成されている必要は必ずしもなく、また、第２実施形態のように、第１スリット１５が、その中心線ＣＬ３が第１貫通孔１３の中心Ｃ１を通らない直線状に形成され、第２スリット２５が、その中心線ＣＬ４が第２貫通孔２２の中心Ｃ２を通らない直線状に形成されている必要は必ずしもない。
【符号の説明】
【００３３】
１  グロメット
１０  第１グロメット部
１１  第１本体部
１１ａ  外周面
１２  閉塞部
１３  第１貫通孔
１４、１５  第１スリット
２０  第２グロメット部
２１  第２本体部
２１ａ  外周面
２２  第２貫通孔
２３  環状溝
２４、２５  第２スリット
３０  隔壁
３１  開口部
４０  ケーブル（線状部材）
４１  電線
４２  第１コネクタ
４３  第２コネクタ
Ｃ１  第１貫通孔の中心
Ｃ２  第２貫通孔の中心
ＣＬ１、ＣＬ３  第１スリットの中心線
ＣＬ２、ＣＬ４  第２スリットの中心線
Ｒ１  第１スリットの中心線の曲率半径
Ｒ２  第２スリットの中心線の曲率半径
【図１】
2019050110.tif 000003
【図２】
2019050110.tif 000004
【図３】
2019050110.tif 000005
【図４】
2019050110.tif 000006
【図５】
2019050110.tif 000007
【図６】
2019050110.tif 000008
【図７】
2019050110.tif 000009
【図８】
2019050110.tif 000010